(57)【特許請求の範囲】
【請求項１】
筐体と、
前記筐体内に設置されるグリル庫と、
前記筐体の上部に取り付けられる天板と
を備え、
前記グリル庫は、ガスと空気を取り入れて混合する為のスロート部と、当該スロート部から供給された混合ガスを炎孔より噴出して前記グリル庫内で燃焼させる燃焼部とを備えたグリルバーナと、
前記グリル庫後部に下側から上側に向けて筒状に設けられ、前記グリル庫内の燃焼により生じる燃焼ガスを排出する排気筒と
を備え、
前記天板の後部には、前記排気筒の開口する上端部の上側に近接する位置に設けられ、前記排気筒から排出させる前記燃焼ガスを前記筐体の外部に排出する為の孔部が形成されたコンロにおいて、
前記排気筒の前記上端部には、
前記天板と前記上端部との間に生じる隙間において、上方に突出する突出部を配置して備える固定部材が固定されていること
を特徴とするコンロ。
【請求項２】
前記固定部材は、少なくとも前記スロート部と前記上端部との間の位置で、前記天板に対して固定具で固定されていること
を特徴とする請求項１に記載のコンロ。
【請求項３】
前記突出部は、前記固定部材の前側に壁状に設けられ、
前記突出部の上端部には、前側に延び、且つ前記排気筒の前記上端部よりも高い位置に配置された高段部が設けられ、
前記高段部が前記天板に対して前記固定具で固定されていること
を特徴とする請求項２に記載のコンロ。
【請求項４】
前記固定部材における横方向の第一側部及び第二側部のうち、少なくとも前記スロート部側に位置する前記第一側部には、上下方向に立つ補助壁部が設けられていること
を特徴とする請求項１から３の何れかに記載のコンロ。
【請求項５】
前記補助壁部は、前記第一側部のうち前記スロート部側の端部寄りに設けられていること
を特徴とする請求項４に記載のコンロ。
【請求項６】
前記第二側部と前記天板との間には、前記天板の前記孔部と前記筐体の内部空間を連通させる通気部が設けられていること
を特徴とする請求項４又は５に記載のコンロ。
【発明の詳細な説明】
【技術分野】
【０００１】
本発明は、コンロに関する。
【背景技術】
【０００２】
従来、筐体内部にグリル庫を設けたテーブルコンロが提供されている（例えば、特許文献１参照）。グリル庫は、被調理物を収納するユニット本体部と、該ユニット本体部の上部に取り付けられるグリルフードを備える。グリルフードには、グリルバーナが設けられ、グリル内に収納された魚等の被調理物を少なくとも上側から加熱して調理する。グリル庫の後部には、上側に延びる排気筒が設けられ、天板に設けられた排気口部を通じて、調理により生じた燃焼ガスを筐体外部に排出する。なお、燃焼ガスとは、ガス（燃料）を燃焼させて発生した高温ガスを意味する。
【０００３】
グリルバーナは、略スロート状のスロート部と、該スロート部の下流側に設けられる平面状の燃焼部を備える。スロート部の上流側の端部は、ガス配管の下流側の端部に設けられたガスが噴出されるノズルと対向する。スロート部は、ノズルから噴出されるガスと、ガスの噴出により引き込まれる筐体内の空気を管内で混合し、燃焼部に供給する。燃焼部には、複数の炎孔が形成されると共に、点火スパークを発生させるイグナイタ等が付設されている。それ故、スロート部から供給されたガスは、グリル庫内で燃焼する。
【０００４】
ところで、一般的なテーブルコンロの筐体内には、グリル庫の左右夫々に、バーナ取付台が設けられ、これらバーナ取付台には、コンロバーナが固定されている。コンロバーナのスロート部は前方向に延び、その前端部は、筐体内の前部に設けられたガス量調節装置が備えるノズルに近接する。それ故、多くのテーブルコンロにおいては、テーブル取付台やコンロバーナ等との干渉を避けるため、グリルバーナのスロート部に関しては、燃焼部の後部位置において、左右方向に向けて設けるという設計上の制約が課せられることが多かった。
【先行技術文献】
【特許文献】
【０００５】
【特許文献１】特開２０１４−５４４６６号公報
【発明の概要】
【発明が解決しようとする課題】
【０００６】
上記構成のテーブルコンロでは、必然的に排気筒の上端部に設けられた開口部と、グリルのスロート部の入口部分とが近接する。それ故、開口部から排出された燃焼ガスの一部が、筐体内部に侵入し、さらにグリルバーナのスロート部に侵入することによって、コンロ内を還流してしまうことから、グリルバーナの燃焼効率が低下する可能性があった。また、テーブルコンロは、美観上の観点から出来るだけ筐体に空気の流通孔を設けないように設計されているので、燃焼に伴う筐体内の空気のグリルバーナへの吸い込みにより筐体内部は負圧になり易い。それ故、上記構成のテーブルコンロでは、燃焼ガスの還流を生じ易いという問題点もあった。
【０００７】
本発明の目的は、燃焼ガスの還流を防止できるコンロを提供することである。
【課題を解決するための手段】
【０００８】
請求項１に係る発明のコンロは、筐体と、前記筐体内に設置されるグリル庫と、前記筐体の上部に取り付けられる天板とを備え、前記グリル庫は、ガスと空気を取り入れて混合する為のスロート部と、当該スロート部から供給された混合ガスを炎孔より噴出して前記グリル庫内で燃焼させる燃焼部とを備えたグリルバーナと、前記グリル庫後部に下側から上側に向けて筒状に設けられ、前記グリル庫内の燃焼により生じる燃焼ガスを排出する排気筒とを備え、前記天板の後部には、前記排気筒の開口する上端部の上側に近接する位置に設けられ、前記排気筒から排出させる前記燃焼ガスを前記筐体の外部に排出する為の孔部が形成されたコンロにおいて、前記排気筒の前記上端部には、前記天板と前記上端部との間に生じる隙間において、上方に突出する突出部を配置して備える固定部材が固定されていることを特徴とする。
【０００９】
請求項２に係る発明のコンロは、請求項１に記載の構成に加え、前記固定部材は、少なくとも前記スロート部と前記上端部との間の位置で、前記天板に対して固定具で固定されていることを特徴とする。
【００１０】
請求項３に係る発明のコンロは、請求項２に記載の構成に加え、前記突出部は、前記固定部材の前側に壁状に設けられ、前記突出部の上端部には、前側に延び、且つ前記排気筒の前記上端部よりも高い位置に配置された高段部が設けられ、前記高段部が前記天板に対して前記固定具で固定されていることを特徴とする。
【００１１】
請求項４に係る発明のコンロは、請求項１から３の何れかに記載の構成に加え、前記固定部材における横方向の第一側部及び第二側部のうち、少なくとも前記スロート部側に位置する前記第一側部には、上下方向に立つ補助壁部が設けられていることを特徴とする。
【００１２】
請求項５に係る発明のコンロは、請求項４に記載の構成に加え、前記補助壁部は、前記第一側部のうち前記スロート部側の端部寄りに設けられていることを特徴とする。
【００１３】
請求項６に係る発明のコンロは、請求項４又は５に記載の構成に加え、前記第二側部と前記天板との間には、前記天板の前記孔部と前記筐体の内部空間を連通させる通気部が設けられていることを特徴とする。
【発明の効果】
【００１４】
請求項１に係る発明のコンロでは、グリル庫内の燃焼によりスロート部付近が負圧になったとしても、突出部が障壁となるので、排気筒から排出された燃焼ガスが前方向に流動して筐体内に入り込むのを防止できる。
【００１５】
請求項２に係る発明のコンロでは、請求項１に記載の効果に加え、スロート部と排気筒の間の位置において、固定部材と天板とが固定具で固定されることにより、スロート部と排気筒の間の隙間を確実に閉塞できる。
【００１６】
請求項３に係る発明のコンロでは、請求項２に記載の効果に加え、排気筒から排出された燃焼ガスは、高段部と排気筒の上端部との間の突出部によって筐体内に侵入できないようになっている。高段部は、固定部材の前側に設けられているので、比較的広い領域において、筐体内への燃焼ガスの侵入を防止できる。
【００１７】
請求項４に係る発明のコンロでは、請求項１から３の何れかに記載の効果に加え、補助壁部により、排気筒から横方向に流動した燃焼ガスが筐体内に引き込まれてスロート部付近に侵入するのを防止できる。
【００１８】
請求項５に係る発明のコンロでは、請求項４に記載の効果に加え、第一側部のうちスロート部側の端部とは反対の端部側には、天板の孔部と筐体の内部空間を連通させる隙間が形成されているので、グリル庫内の燃焼によりスロート部付近が負圧になったとしても、筐体内外の気圧差を解消できる。
【００１９】
請求項６に係る発明のコンロでは、請求項４又は５に記載の効果に加え、第二側部には、天板の孔部と筐体の内部空間を連通させる通気部が設けられているので、グリル庫内の燃焼によりスロート部付近が負圧になったとしても、筐体内外の気圧差を速やかに解消できる。
【図面の簡単な説明】
【００２０】
【図１】コンロ１の斜視図である。
【図２】図１に示すＩ−Ｉ線矢視方向断面図である。
【図３】天板を省略したコンロ１の斜視図である。
【図４】天板を省略したコンロ１の右斜め後方から見た斜視図である。
【図５】排気筒８０の上端部に対して、フレームトラップ１７と還流防止部材９０が上方から取り付けられる状態を示す斜視図である。
【図６】還流防止部材９０の右斜め後方から見た斜視図である。
【図７】還流防止部材９０の右斜め前方から見た斜視図である。
【図８】還流防止部材９０の左側面図である。
【図９】還流防止部材９０の右側面図である。
【図１０】図４に示すＷ２領域内の部分拡大図である。
【図１１】図２に示すＷ１領域内の部分拡大図である。
【発明を実施するための形態】
【００２１】
以下、本発明の実施形態について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２２】
図１〜図３を参照して、コンロ１の外観構造を説明する。図１に示すように、コンロ１は、グリル付きテーブルコンロである。コンロ１は、筐体２と天板３を備える。筐体２は、上部が開口する略直方体状に形成されている。天板３は、平面視略矩形状に形成され、筐体２の開口する上部にネジ（図示略）で固定されている。天板３の種類は限定しないが、例えばホーロー素材等を採用できる。天板３の右側には右コンロバーナ５、左側には左コンロバーナ６が設けられている。天板３の左右方向の中央部の後端側には、排気口部９が設けられている。排気口部９は、平面視左右方向に長い略矩形状に形成されている。排気口部９は、筐体２内に設置されたグリル庫５００（図２参照）内の燃焼によって生じた燃焼ガスを外部に排出する。排気口部９には、複数のスリット１９１を備える安全カバー１９０が上側から装着されている。
【００２３】
図３に示すように、筐体２は、筐体２は、筐体本体部２０、前板部２４の二つの板金部材を互いに組み付け、ネジ（図示略）で固定することによって構成されている。筐体本体部２０は、前側が開口する平面視略Ｕ字形状に形成されている。筐体本体部２０は、右側板部２１、左側板部２２、後板部２３を備える。後板部２３は、右側板部２１及び左側板部２２の夫々の後端部同士を繋いでいる。そのような筐体本体部２０の開口する前側に、正面視略矩形状の前板部２４がネジ（図示略）で組み付けられている。
【００２４】
前板部２４の左右方向の中央部には、グリル用の開口部（図示略）が設けられている。開口部の内側には、グリル庫５００の前側に設けられたグリル開口５０１（図２参照）が配置されている。開口部には、グリル扉１０が前後方向に移動可能に設けられている。ユーザがグリル扉１０を手前側に引き出すと、グリル扉１０の背面下部に連結した受皿４（図２参照）及び焼き網（図示略）を、グリル庫５００内から同時に取り出すことができる。
【００２５】
前板部２４の前面において、グリル扉１０の右側には、ツマミ１１，１２が設けられている。グリル扉１０の左側には、ツマミ１３が設けられている。ツマミ１１〜１３は押し回し式である。ツマミ１１は、右コンロバーナ５を点火する場合に、正面視反時計回りに約９０°押し回しされる。点火後は、時計回りに回動させることによって、火力が大火力から小火力に調節される。ツマミ１１を点火前の位置に戻すと、右コンロバーナ５が消火される。なお、ツマミ１２と１３の操作方法は、ツマミ１１と同じである。ツマミ１２は、グリル庫５００内に設置されるグリルバーナ６５（図２参照）を点火する場合に押し回しされる。ツマミ１３は、左コンロバーナ６を点火する為に押し回しされる。ツマミ１３の左側には、電池ボックス１５が設けられている。電池ボックス１５は、コンロ１に電源を供給する乾電池（図示略）を格納する。
【００２６】
図２〜図５を参照し、筐体２の内部構造を説明する。図２，図３に示すように、筐体２の内側における左右方向の略中央部には、グリルユニット４０が設置されている。グリルユニット４０は、グリル庫５００、遮熱板７０、排気筒８０を備える。グリル庫５００は、下から順に、ユニット本体部５０とグリルフード６０を備える。ユニット本体部５０は、上面が開口する断面略Ｕ字状の箱型に形成され、被調理物を加熱する加熱空間を形成する。グリルフード６０は、ユニット本体部５０の開口する上部を塞ぐようにネジ（図示略）で固定されている。グリルフード６０は、グリルバーナ６５を備える。グリルバーナ６５は、燃焼部６５２（図２参照）とスロート部６５１を備える。
【００２７】
燃焼部６５２は、グリルフード６０の下面に平面状に設けられ、下方に向けて火炎を形成する多数の炎孔を備える。スロート部６５１は、燃焼部６５２の後端部から右方向に延びる。スロート部６５１の右端部には、ガスを流入させる流入口６５３が設けられている。流入口６５３は、後述するガス配管２８の下流側の端部に設けられたノズル２８Ａと対向する。ノズル２８Ａは流入口６５３に向かってガスを噴出する。スロート部６５１は、ノズル２８Ａから噴出されたガスと、ガスの噴出により引き込まれる筐体２内の空気を管内で混合し、燃焼部６５２に供給する。図２に示すように、燃焼部６５２の後方には、イグナイタ６８と熱電対６７が付設されている。イグナイタ６８は、点火スパークを発生させる。それ故、スロート部６５１から燃焼部６５２の各炎孔に供給されたガスは、グリル庫５００内で燃焼する。熱電対６７は、燃焼部６５２における失火を検出する。
【００２８】
遮熱板７０は、グリルフード６０の上面を覆うように隙間を空けて支持され、グリルバーナ６５から伝わる熱を遮断することによって、天板３の温度が過度に上昇するのを防止する。
【００２９】
排気筒８０は、グリルフード６０の後部に設けられている。排気筒８０は筒状に形成され、下側から上側に向けて設けられている。排気筒８０の上端部には、平面視左右方向に長い略矩形状の開口部８１（図５参照）が設けられている。開口部８１は、天板３の後部に設けられた排気口部９の直下に配置される。グリル庫５００内の燃焼により生じた燃焼ガスは、後方に向かって流れ、排気筒８０を上方に流れる（図２中二点鎖線の矢印参照）。排気筒８０は、燃焼ガスを天板３の排気口部９に導く。
【００３０】
図４，図５に示すように、排気筒８０の開口部８１の内側には、フレームトラップ１７が取付具（図示略）によって取り付けられている。フレームトラップ１７は、略直方体の板状に構成された消炎部材であり、例えばステンレス等からなるラス網等の２枚の多孔板の両端を曲げ加工し、それを上下方向に向かい合わせて直方体の筒状に形成したものである。万が一、受皿４に溜まった油や被調理物から火炎が生じたとしても、その火炎は、排気筒８０の筒上方上流側に位置する下側の多孔板に接触して冷却される。さらに、各多孔板間には、燃焼ガスや被調理物から生じた炭酸ガスが滞留して酸素濃度が希薄になるため、火炎への酸素供給が滞る。こうした冷却効果及び酸欠効果により、フレームトラップ１７が排気筒８０内の内側にまで延びる火炎を消炎するので、天板３の排気口部９から火炎が溢れ出すのを防止できる。
【００３１】
さらに、排気筒８０の上端部には、略枠状の還流防止部材９０が固定されている。還流防止部材９０は、開口部８１の前側縁部、右側縁部、左側縁部に沿って配置され、開口部８１と、グリルバーナ６５のスロート部６５１の流入口６５５の間において、天板３の下面との間に生じる隙間を閉塞する。還流防止部材９０は、排気筒８０の開口部８１から流れる燃焼ガスが、スロート部６５１付近に引き込まれて、グリルバーナ６５及び排気筒８０内を還流するのを防止する。なお、還流防止部材９０の構造、取り付け方法、及びその機能については後に詳述する。
【００３２】
図３，図４に示すように、前板部２４の背面側において、ツマミ１１に対応する位置には、右コンロバーナ５用のガス量調節装置１８が設けられている。ガス量調節装置１８には、図示しないガス配管からガスが供給される。ガス量調節装置１８はガスを噴出するノズル１８Ａを備える。ノズル１８Ａは後方に突出し、右コンロバーナ５の後述するスロート部５１２の流入口５１３に向けてガスを噴出する。ガス量調節装置１８はツマミ１１と接続し、ツマミ１１の回動量に応じてノズル１８Ａから噴出するガス量を調節する。
【００３３】
前板部２４の背面側において、ツマミ１３に対応する位置には、左コンロバーナ６用のガス量調節装置１９が設けられている。ガス量調節装置１９には、図示しないガス配管からガスが供給される。ガス量調節装置１９はガスを噴出するノズル１９Ａを備える。ノズル１９Ａは後方に突出し、左コンロバーナ６の後述するスロート部６１２の流入口６１３に向けてガスを噴出する。ガス量調節装置１９はツマミ１３と接続し、ツマミ１３の回動量に応じてノズル１９Ａから噴出するガス量を調節する。
【００３４】
前板部２４の背面側において、ツマミ１２に対応する位置には、グリルバーナ６５用のグリル用ガス量調節装置（図示略）が設けられている。グリル用ガス量調節装置には、図示しないガス配管からガスが供給される。グリル用ガス量調節装置のガス出口には、ガス配管２８の上流側端部が接続されている。ガス配管２８は後方に延び、後述するバーナ取付台２６の下方を潜って上方に折り返し、さらにグリルバーナ６５のスロート部６５１と略同一高さ位置で左方に屈曲して左方に延びている。ガス配管２８の下流側端部には、ノズル２８Ａが設けられている。ノズル２８Ａは左方に突出し、グリルバーナ６５のスロート部６５１の流入口６５３に向けてガスを噴出する。グリル用ガス量調節装置はツマミ１２と接続し、ツマミ１２の回動量に応じてノズル２８Ａから噴出するガス量を調節する。
【００３５】
図３に示すように、遮熱板７０の上面の右端側と、筐体２の右側板部２１の上端部との間には、バーナ取付台２６が略水平に渡設されている。バーナ取付台２６には、右コンロバーナ５が取り付けられている。右コンロバーナ５は、バーナ本体５１１とスロート部５１２を備える。バーナ本体５１１は、円環状のバーナキャップ５１４が上部に載置されることで、外周面に複数の炎孔を形成する。スロート部５１２は、バーナ本体５１１の側面の前側下部に接続し、前方向に延びる。スロート部５１２の前端部には、ガスを流入させる流入口５１３が設けられている。流入口５１３は、ガス量調節装置１８のノズル１８Ａに対向して配置されている。スロート部５１２は、ノズル１８Ａから噴出されるガスと、ガスの噴出により引き込まれる筐体２内の空気をスロート部５１２内で混合し、バーナ本体５１１に供給する。
【００３６】
他方、遮熱板７０の上面の左端側と、筐体２の左側板部２２の上端部との間には、バーナ取付台２７が略水平に渡設されている。バーナ取付台２７には、左コンロバーナ６が取り付けられている。左コンロバーナ６は、バーナ本体６１１とスロート部６１２を備える。バーナ本体６１１は、円環状のバーナキャップ６１４が上部に載置されることで、外周面に複数の炎孔を形成する。スロート部６１２は、バーナ本体６１１の側面の前側下部に接続し、前方向に延びる。スロート部６１２の前端部には、ガスを流入させる流入口６１３が設けられる。流入口６１３は、ガス量調節装置１９のノズル１９Ａに対向して配置されている。スロート部６１２は、ノズル１９Ａから噴出されるガスと、ガスの噴出により引き込まれる筐体２内の空気をスロート部６１２内で混合し、バーナ本体６１１に供給する。
【００３７】
図４，図５を参照し、排気筒８０の上端部の構造を説明する。図５に示すように、排気筒８０の上端部は、平面視左右方向に長い略矩形状に形成され、その左右方向の中央部に、上記の開口部８１が設けられている。その開口部８１の右側縁部には、差込孔８２と固定孔８５が前後方向に並んで設けられている。差込孔８２は後ろ側、固定孔８５は前側に配置されている。開口部８１の左側縁部にも、差込孔８３と固定孔８６が前後方向に並んで設けられている。差込孔８３は後ろ側、固定孔８６は前側に配置される。差込孔８２，８３は平面視略矩形状に形成されている。差込孔８２，８３には、還流防止部材９０の後述する差込片９１５，１９６が上方から差し込まれる。固定孔８５，８６には、還流防止部材９０を排気筒８０の上端部に固定する為のネジ３１が挿入される。
【００３８】
図６〜図９を参照し、還流防止部材９０の構造を具体的に説明する。図６，図７に示すように、還流防止部材９０は、例えば一枚の板金部材を屈曲して形成され、固定台部９１、立壁部９２、高台部９３、垂下部９４を備える。固定台部９１は、板状で且つ平面視後ろ側が開口する略コの字型に形成されている。固定台部９１は、右側固定部９１１、左側固定部９１２、横方向部９１３を備える。
【００３９】
右側固定部９１１は、排気筒８０の上端部における開口部８１の右側縁部に固定される部位である。右側固定部９１１は、平面視略矩形板状に形成され、その右後方角部は、平面視略Ｌ字状に形成されている。右側固定部９１１の右端部９０１の後端側には、下方に突出する差込片９１５（図６，図９参照）が設けられている。差込片９１５の近傍には、上下方向に貫通する固定孔９１７が設けられている。右側固定部９１１の右端部９０１のうち立壁部９２寄りの部位には、補助壁部９８（図６，図９参照）が立設されている。補助壁部９８は、右側面視前後方向に長い略矩形状に形成されている。
【００４０】
左側固定部９１２は、排気筒８０の上端部における開口部８１の左側縁部に固定される部位である。左側固定部９１２は、平面視略矩形板状に形成され、その左後方角部も、平面視略Ｌ字状に形成されている。左側固定部９１２の左端部９０２の後端側には、下方に突出する差込片９１６（図８参照）が設けられている。差込片９１６の近傍には、上下方向に貫通する固定孔９１８が設けられている。横方向部９１３は、右側固定部９１１の前端部と、左側固定部９１２の前端部との間を左右方向に渡して設けられ、平面視左右方向に延びる細長い略帯状に形成されている。
【００４１】
なお、右側固定部９１１の左端部、左側固定部９１２の右端部は、開口部８１側に配置される部分であり、高温の燃焼ガスに晒される部分である。そこで、例えば、右側固定部９１１の左端部、左側固定部９１２の右端部においては、板金を下面に１８０°折り曲げて剛性を向上させることができる。これにより、還流防止部材９０の開口部８１側に配置される部分の耐久性を向上できる。
【００４２】
立壁部９２は、開口部８１から前方に流れようとする燃焼ガスの流れを遮断する部位である。立壁部９２は、横方向部９１３の前端部に沿って立設され、背面視左右方向に延びる細長い略帯状に形成されている。立壁部９２の左端部は、補助壁部９８の前端部と接続している。立壁部９２と固定台部９１が接続する稜線の左右両側には、その稜線を跨ぐように側面視略三角形状のリブ９７（図６，図８参照）が形成されている。リブ９７は、立壁部９２と固定台部９１の接続部分を補強する。なお、リブ９７の形状、個数についてはこれに限定せず、自由に変更可能である。
【００４３】
高台部９３は、天板３の下面に当接して固定される部位である。高台部９３は、立壁部９２の上端部から前方に突出し、平面視左右方向に長い略矩形状に形成されている。高台部９３は、排気筒８０の上端部よりも高い位置に配置されている。高台部９３の右側、左側、中央には、上下方向に貫通する固定孔９３１が夫々設けられている。各固定孔９３１には、高台部９３の上面に対して天板３を固定する為のネジ３２（図１１参照）が締結される。
【００４４】
垂下部９４は、高台部９３の前端部から垂下し、正面視左右方向に長い略矩形状に形成されている。高台部９３と垂下部９４には、夫々が互いに直交して接続する稜線に沿って、４つの矩形状の貫通孔９６が設けられている。
【００４５】
図４〜図１１を参照し、還流防止部材９０の取り付け方法の一例を説明する。図５に示すように、作業者は、還流防止部材９０を固定する前に、フレームトラップ１７を排気筒８０の開口部８１の内側に、取付具（図示略）で固定する。次に、還流防止部材９０を固定する。先ず、作業者は、還流防止部材９０を、排気筒８０の上端部の直上に配置し、固定台部９１の内縁部を、開口部８１の前側縁部、右側縁部、左側縁部に沿って配置する。このとき、右側固定部９１１の差込片９１５を、開口部８１の右側の差込孔８２に差し込む。左側固定部９１２の差込片９１６を、開口部８１の左側の差込孔８３に差し込む。これにより、右側固定部９１１は、開口部８１の右側縁部に位置決めされ、左側固定部９１２は、開口部８１の左側縁部に位置決めされる。垂下部９４の下端部は、遮熱板７０の上面に当接される（図３参照）。垂下部９４は、還流防止部材９０が前方向に倒れるのを防止する。
【００４６】
この状態では、開口部８１の右側の固定孔８５（図５参照）の直上に、右側固定部９１１の固定孔９１７が配置される。作業者は、ネジ３１を固定孔９１７に差し込み、固定孔８５に締結する。これにより、右側固定部９１１が開口部８１の右縁部に固定される。他方、開口部８１の左側の固定孔８６（図５参照）の直上に、左側固定部９１２の固定孔９１８が配置される。作業者は、ネジ３１を固定孔９１８に差し込み、固定孔８６に締結する。これにより、左側固定部９１２が開口部８１の左縁部に固定される。このようにして、作業者は、還流防止部材９０を排気筒８０の上端部に容易に固定できる。
【００４７】
次いで、筐体２の上部に、天板３を位置決めして取り付ける（図２参照）。このとき、排気筒８０の開口部８１の直上に、天板３の排気口部９が配置される。図１１に示すように、排気筒８０の上端部に固定された還流防止部材９０の高台部９３の上面に対し、天板３の下面が対向して配置される。天板３には、高台部９３に設けられた３つの固定孔９３１に対応する位置に、上下方向に貫通する３つの天板側固定孔３５（図１１では一つのみ図示）が夫々設けられている。作業者は、上下方向に位置決めされた各固定孔９３１と各天板側固定孔３５に、上方からネジ３２を差し込んで夫々締結する。ネジ３２を締結することによって、天板３は高台部９３の上面に押し付けられるので、高台部９３の上面に対して天板３の下面が密着する。このようにして、コンロ１に対する還流防止部材９０の取り付けが完了する。
【００４８】
次に、還流防止部材９０による燃焼ガスの還流防止機能を説明する。上記の通り、筐体２の内側におけるグリルユニット４０の右側には、バーナ取付台２６が設けられ、そのバーナ取付台２６には右コンロバーナ５が取り付けられている。さらに、その右コンロバーナ５のスロート部５１２は前方向に延び、その前端部に設けられた流入口５１３は、前板部２４の背面側に設けられたガス量調節装置１８のノズル１８Ａに近接して配置されている。つまり、グリルユニット４０の右側の空間には、バーナ取付台２６、右コンロバーナ５（バーナ本体５１１、スロート部５１２）、ガス量調節装置１８（ノズル１８Ａ）等の複数の部材が互いに入り組んで配置されている。このようなことから、グリルバーナ６５のスロート部６５１に関しては、これらバーナ取付台２６等の各種部品との干渉を避ける為に、燃焼部６５２の後方位置において、左右方向に向けて設けられている。そのような位置関係の制約があることから、本構造においては、図３，図１０に示すように、排気筒８０の開口部８１と、グリルバーナ６５のスロート部６５１の流入口６５３とは、互いに近接した位置に夫々配置されている。
【００４９】
このような構造を備えるコンロ１では、排気筒８０の上端部に還流防止部材９０が固定されている。図１０（天板３は図示略）に示すように、開口部８１とスロート部６５１の流入口６５３との間には、還流防止部材９０の立壁部９２が配置されている。これにより、グリル庫５００内の燃焼によりスロート部６５１の流入口６５３付近が負圧になったとしても、立壁部９２が障壁となるので、開口部８１から上方に流れた燃焼ガスが前方向に流動（図１０中二点鎖線の矢印参照）して筐体２内に入り込むのを効果的に防止できる。
【００５０】
さらに、右側固定部９１１のスロート部６５１側に位置する右端部９０１には、補助壁部９８が設けられているので、排気筒８０から横方向（本実施形態では右方向、図１０中二点鎖線の矢印参照）に流動した燃焼ガスが筐体２内に引き込まれて、スロート部６５１の流入口６５３付近に侵入するのを効果的に防止できる。また、補助壁部９８の前端部は、立壁部９２の左端部と連結しているので、開口部８１から右斜め前方に流動（（図１０中二点鎖線の矢印参照）する燃焼ガスについても、スロート部６５１の流入口６５３付近に侵入するのを防止できる。
【００５１】
さらに、補助壁部９８は、右端部９０１のうち、スロート部６５１側の端部寄りに設けられている。これにより、スロート部６５１側の端部とは反対の端部側には、天板３の排気口部９と筐体２の内部空間を連通させる隙間９０５（図１０参照）が形成されている。これにより、グリル庫５００内の燃焼によりスロート部６５１付近が負圧になったとしても、隙間９０５を介して筐体２内に空気が流入できるので、筐体２内外の気圧差を解消できる。
【００５２】
また、図１１に示すように、天板３が高台部９３の上面に対してネジ３２で締結されていることによって、高台部９３の上面に対して天板３の下面が密着している。これにより、スロート部６５１と排気筒８０の間において、天板３の下面と排気筒８０の上端部との間に生じる隙間を確実に閉塞できる。これにより、開口部８１から流れた燃焼ガスが前方向に流動しても、立壁部９２が障壁となるので、筐体２内に侵入するのを効果的に防止できる。さらに、高台部９３は、還流防止部材９０の前側に設けられているので、左右方向に比較的広い領域において、排気筒８０の上端部と天板３との間にできる隙間を閉塞できる。これにより、燃焼ガスの筐体２内への燃焼ガスの侵入を効果的に防止できる。
【００５３】
また、還流防止部材９０のスロート部６５１側の右端部９０１には、補助壁部９８が設けられているが、その反対の左端部９０２には、補助壁部９８は設けられていない。これにより、図１０に示すように、天板３（図１０では図示略）の下面と左端部９０２の間には、通気部９０６が形成されている。通気部９０６は、天板３の排気口部９と筐体２の内部空間を連通させる隙間である。通気部９０６は、右側固定部９１１の右端部９０１に形成された隙間９０５と同様の機能である。これにより、グリル庫５００内の燃焼によりスロート部６５１付近が負圧になったとしても、通気部９０６を介して筐体２内に空気が流入できるので、筐体２内外の気圧差を速やかに解消できる。
【００５４】
ところで、単に燃焼排気の還流を防止する目的であれば、例えば、排気筒８０の上端部と天板３とを直接ネジで固定する方法も考えられる。しかしながら、そのような構成の場合、天板３の下面と排気筒８０の上端部とが接触し、さらに、排気筒８０の開口部８１の一部を天板３で覆う必要があるので、天板３が排気筒８０と燃焼排気によって直接熱せられてしまい、天板３の温度が過度に上昇してしまう可能性がある。これに対し、本実施形態では、図１１に示すように、天板３と排気筒８０の上端部との間に、還流防止部材９０を挟む構成としているので、天板３が直接熱せられないようになっている。これにより、天板３の温度が過度に上昇してしまうのを効果的に防止できる。
【００５５】
また、図１１に示すように、本実施形態では、排気筒８０の開口部８１の内側に取り付けられたフレームトラップ１７を固定する為に、フレームトラップ１７の上面に対して、還流防止部材９０の固定台部９１の下面を上方から押し当てる構成としている。上記のように、仮に排気筒８０の上端部と天板３とを直接ネジで固定する構成とした場合、排気筒８０の開口部８１の面積よりも、天板３の排気口部９の面積を小さくする必要がある。これでは、排気筒８０の開口部８１から排出される燃焼排気の排気抵抗が大きくなるので、好ましくない。これに対し、本実施形態は、フレームトラップ１７の上面に対して、還流防止部材９０を上方から押し当てて固定するので、排気筒８０の開口部８１の面積よりも、天板３の排気口部９の面積を大きくできる。これにより、燃焼排気の排気抵抗を小さくできるので、燃焼排気をスムーズに排出できる。
【００５６】
以上説明において、天板３の排気口部９が本発明の「孔部」の一例である。還流防止部材９０が本発明の「固定部材」の一例である。還流防止部材９０の立壁部９２が、本発明の「突出部」の一例である。ネジ３２が本発明の「固定具」の一例である。還流防止部材９０の右端部９０１が本発明の「第一側部」の一例であり、左端部９０２が本発明の「第二側部」の一例である。
【００５７】
以上説明したように、本実施形態のコンロ１は、筐体２を備える。筐体２の内側には、グリル庫５００が設置される。グリル庫５００は、グリルバーナ６５と排気筒８０を備える。グリルバーナ６５は、スロート部６５１と燃焼部６５２を備える。スロート部６５１は、ガスと空気を取り入れて混合する管である。燃焼部６５２は、スロート部６５１から供給された混合ガスを炎孔より噴出してグリル庫５００内で燃焼させる。排気筒８０は、グリル庫５００後部に下側から上側に向けて筒状に設けられている。排気筒８０は、グリル庫５００内の燃焼により生じる燃焼ガスを排出する。筐体２の上部には、天板３が固定される。天板３の後部には、排気口部９が設けられている。排気口部９は、排気筒８０の開口する上端部の上側に近接する位置に配置され、排気筒８０の開口部８１から排出させる燃焼ガスを筐体２の外部に排出する。そのようなコンロ１において、排気筒８０の上端部には、還流防止部材９０が二つのネジ３１で固定されている。還流防止部材９０の立壁部９２は、天板３と排気筒８０の上端部との間に生じる隙間において立設されている。これにより、グリル庫５００内の燃焼によりスロート部６５１付近が負圧になったとしても、立壁部９２が障壁となるので、排気筒８０の開口部８１から排出された燃焼ガスが前方向に流動して筐体２内に入り込むのを防止できる。
【００５８】
なお、本発明は上記実施形態に限定されるものではなく、種々の変更が可能である。上記実施形態のコンロ１はグリル付きテーブルコンロであるが、ビルトインタイプのコンロであってもよい。また、コンロ１は、右コンロバーナ５と左コンロバーナ６の２つのコンロバーナを備えるが、コンロバーナの数は２つに限らず、１つでもよく、３つ以上であってもよい。
【００５９】
上記実施形態の排気筒８０の開口部８１の内側には、消炎部材としてのフレームトラップ１７が取り付けられているが、省略してもよい。
【００６０】
上記実施形態の還流防止部材９０は、高台部９３と垂下部９４を備えるが、これらは省略してもよい。また、固定台部９１の形状については、排気筒８０の開口部８１を塞がないようにできれば、上記実施形態の形状には限定されない。また、上記実施形態では、高台部９３の上面に対して天板３をネジ３２で締結するが、それ以外の部分を天板３にネジで固定するようにしてもよい。高台部９３を省略した場合、例えば、立壁部９２の上端部に対して天板３の下面が密着するようにネジを締結してもよい。
【００６１】
また、上記実施形態では、還流防止部材９０を排気筒８０の上端部に対して２本のネジ３１で固定しているが、ネジ３１の本数は変更可能である。さらに、還流防止部材９０は、排気筒８０の上端部に対して、ネジ３１以外の固定具で固定してもよく、接着剤で固定してもよい。また、還流防止部材９０の高台部９３の上面に対し、天板３を３本のネジ３１で固定しているが、ネジ３２の本数も変更可能である。さらに、天板３は、高台部９３の上面に対して、ネジ３２以外の固定具で固定してもよく、接着剤で固定してもよい。さらに、筐体２の上部に天板３を取り付けたときに、高台部９３の上面が天板３の下面と接触してその間に隙間が無ければ、ネジ３２で固定しなくてもよい。
【００６２】
また、上記実施形態の還流防止部材９０は、右側固定部９１１の右端部９０１の立壁部９２寄りに補助壁部９８を設けているが、右端部９０１の全部位に補助壁部９８を設けてもよい。また、補助壁部９８は省略してもよい。また、グリルバーナ６５のスロート部６５１が、還流防止部材９０の左端部９０２側に位置する場合は、補助壁部９８を左端部９０２に設ければよい。
【００６３】
また、上記実施形態の還流防止部材９０において、固定孔９１７，９１８の数、固定孔９３１の数、差込片９１５，９１６の本数、及び形状等においては、上記実施形態に限らず、自由に変更可能である。
【符号の説明】
【００６４】
１      コンロ
２      筐体
３      天板
９      排気口部
３２      ネジ
６５      グリルバーナ
８０      排気筒
８１      開口部
９０      還流防止部材
９２      立壁部
９３      高台部
９８      補助壁部
５００    グリル庫
６５１    スロート部
６５２    燃焼部
９０１    右端部
９０２    左端部
９０５    隙間
９０６    通気部
【図１】
0006719931.tif 000002
【図２】
0006719931.tif 000003
【図３】
0006719931.tif 000004
【図４】
0006719931.tif 000005
【図５】
0006719931.tif 000006
【図６】
0006719931.tif 000007
【図７】
0006719931.tif 000008
【図８】
0006719931.tif 000009
【図９】
0006719931.tif 000010
【図１０】
0006719931.tif 000011
【図１１】
0006719931.tif 000012